(57)【要約】【課題】冷却ファンが故障した場合でも、装置を停止させることなく、読み取り動作を行うことができる画像読取装置を提供する。【解決手段】読み取り動作を開始する前、冷却ファン３８ａ、３８ｂを駆動してその状態を調査する。冷却ファン３８ａ、３８ｂの故障の有無に応じて読み取りモードを選択する。冷却ファンが故障しても、読み取り動作を開始することができる。また、読み取り動作中、同様に調査し、冷却ファン３８ａ、３８ｂの故障の有無に応じて読み取りモードを変更する。冷却ファンが故障しても、読み取り動作を継続することができる。【選択図】図１１
2007295068.tif 000002
【特許請求の範囲】
【請求項１】
複数の読み取りモードの中から決定された読み取りモードに従って、原稿の画像を読み取る画像読取装置であって、
前記原稿の画像読み取りに使用される部品を冷却する冷却ファンと、
前記冷却ファンの状態を検出する状態検出手段と、
前記検出された冷却ファンの状態に応じて読み取りモードを決定する読み取りモード決定手段とを備えたことを特徴とする画像読取装置。
【請求項２】
前記冷却ファンは複数設けられ、
前記状態検出手段は、前記複数の冷却ファンの状態を検出し、
前記読み取りモード決定手段は、前記検出された複数の冷却ファンの状態に応じて読み取りモードを決定することを特徴とする請求項１記載の画像読取装置。
【請求項３】
前記冷却ファンは複数段の回転能力で駆動自在であり、
前記状態検出手段は、前記各段の回転能力で駆動される冷却ファンの状態を検出し、
前記読み取りモード決定手段は、前記検出された各段における冷却ファンの状態に応じて読み取りモードを決定することを特徴とする請求項１または２記載の画像読取装置。
【請求項４】
前記状態検出手段は、前記画像読み取り開始前、前記冷却ファンの状態を検出し、
前記読み取りモード決定手段は、前記検出された冷却ファンの状態に応じて、前記画像読み取り開始時の読み取りモードを決定することを特徴とする請求項１記載の画像読取装置。
【請求項５】
前記状態検出手段は、前記画像読み取り動作中、前記冷却ファンの状態を検出し、
前記読み取りモード決定手段は、前記検出された冷却ファンの状態に応じて、前記画像読み取り動作中の読み取りモードを変更することを特徴とする請求項１記載の画像読取装置。
【請求項６】
前記状態検出手段は、前記検出された冷却ファンの状態を記憶する記憶手段を備え、
前記読み取りモード決定手段は、前記記憶された冷却ファンの状態に応じて読み取りモードを決定することを特徴とする請求項１記載の画像読取装置。
【請求項７】
前記状態検出手段は、前記読み取り動作を開始してから所定時間経過後あるいは所定枚数読み取り後、前記冷却ファンの状態を検出することを特徴とする請求項５記載の画像読取装置。
【請求項８】
前記読み取りモード決定手段は、前記読み取り動作中、前記原稿の残り枚数が所定値以下である場合、前記冷却ファンの状態に拘わらず、前記読み取りモードを変更しないことを特徴とする請求項５記載の画像読取装置。
【請求項９】
前記読み取りモード決定手段は、前記読み取り開始前、前記原稿の枚数が所定値以下である場合、前記冷却ファンの状態に拘わらず、所定の読み取りモードに決定することを特徴とする請求項４記載の画像読取装置。
【請求項１０】
前記状態検出手段は、前記冷却ファンを駆動させ、その故障の有無を検出することを特徴とする請求項１記載の画像読取装置。
【請求項１１】
複数の読み取りモードの中から決定された読み取りモードに従って、原稿の画像を読み取る画像読取装置の制御方法であって、
前記原稿の画像読み取りに使用される部品を冷却する冷却ファンの状態を検出する状態検出ステップと、
前記検出された冷却ファンの状態に応じて読み取りモードを決定する読み取りモード決定ステップとを有することを特徴とする画像読取装置の制御方法。
【発明の詳細な説明】
【技術分野】
【０００１】
本発明は、複数の読み取りモードの中から決定された読み取りモードに従って、原稿の画像を読み取る画像読取装置およびその制御方法に関する。
【背景技術】
【０００２】
従来、複写機等に搭載される画像読取装置では、高解像度な画像読み取りおよび装置の小型化のために、一次元センサが採用されている。画像読み取りは、読み取られる原稿と画像読取装置の読み取り部とを相対的に動かすことによって行われ、原稿を動かすか、それとも読み取り部を動かすかの２通りの方式に大別される。さらに、原稿を自動で画像読取装置の読み取り面に導くか、それとも手動で置くかの違いによって、合計４種類の画像読み取り方式の組み合わせが実現可能である。実際には、読み取り部を固定して手動で原稿を動かす方式では、忠実な読み取りを行えないことが多いので、この方式を除いた３種類の方式が現在多く採用されている。
【０００３】
まず、読み取り面に原稿を手動で置き、読み取り部を動かして画像を読み取る方式（固定読み方式）を示す。オペレータは、読み取り面に置かれた原稿を抑えるため、圧板を有する自動原稿供給装置（ＡＤＦ）を開け、原稿を読み取り面に置き、画像読取装置に読み取り開始を指令する。これにより、読み取りセンサによって、原稿を主走査方向に一次元的に読み取りつつ、読み取り部を主走査方向と直交した副走査方向に走査することによって原稿全体の画像を読み取る。ここで、主走査方向とは、読み取り部が移動する方向と垂直な方向である。
【０００４】
次に、自動で原稿を供給し、原稿を一度停止させて読み取り部を動かすことによって画像を読み取る方式（ＡＤＦ固定読み方式）を示す。オペレータは、ＡＤＦに原稿を載置し、読み取り開始を指令する。これにより、原稿はＡＤＦによって読み取り面に導かれる。この後、固定読み方式と同様、読み取りセンサによって、原稿を主走査方向に一次元的に読み取りつつ、読み取り部を主走査方向と直交した副走査方向に走査することによって原稿全体の画像を読み取る。
【０００５】
最後に、自動で原稿を供給し、読み取り部を固定して原稿を動かしながら画像を読み取る方式（流し読み方式）を示す。オペレータは、ＡＤＦに原稿を載置し、読み取り開始を指令する。これにより、読み取り部は、所定の位置に移動して停止し、読み取りセンサによって主走査方向に一次元的に読み取る。これに伴い、ＡＤＦが副走査方向に原稿を移動させることで、原稿全体の画像を読み取る。
【０００６】
上記３方式の画像読み取りの中で、固定読み方式の場合、オペレータが原稿を読み取り面に確認しながら置くことができるので、原稿の位置合わせミスを低減することができる。また、ＡＤＦの紙送り速度ムラに対して読み取り部の走査ムラが小さいことから、高精度に画像を読み取ることができる。反面、オペレータが読み取り面に原稿を置く作業を行うことから、多くの原稿を連続して読み取る場合、時間がかかってしまう。
【０００７】
一方、ＡＤＦ固定読みの場合、オペレータが読み取り面に原稿を置いたり、交換する作業を自動的に行うので、多くの原稿を連続して読み取る際、固定読み方式に比べて大幅に時間を短縮することができる。反面、原稿の位置合わせについては、固定読み方式に比べ、精度やばらつきがやや劣ってしまう。
【０００８】
また一方、流し読み方式の場合、ＡＤＦ固定読み方式と同様、オペレータによる原稿の載置・交換作業を省くことができるので、多くの原稿を連続して読み取る場合、時間を短縮することができる。さらに、原稿を給紙した後、読み取り部が装置内を往復運動する場合に比べ、原稿を給紙すると同時に画像を読み取るので、ＡＤＦ固定読み方式に比べてさらに読み取り時間を短縮することができる。しかし、ＡＤＦ固定読み方式と同様、原稿位置合わせに関し、精度・ばらつきがやや劣る。しかも、原稿を動かしながら画像を読み取るので、この方式の画質は、読み取り部の副走査方向の走査能力に比べて若干劣るＡＤＦの原稿搬送能力に依存しており、固定読み方式のそれに比べて一歩譲る。
【０００９】
実際の画像読取装置は、固定読み方式を標準的に採用する他、自動的に原稿を供給する方式として、２つの方式のいずれかを採用するものが多い。つまり、「固定読み方式＋流し読み方式」もしくは「固定読み方式＋ＡＤＦ固定読み方式」を採用しているものが多い。さらに、ＡＤＦで給紙する場合、制御を変更することで、流し読み方式も実現可能であるので、全ての方式を備えた画像読取装置も存在する。つまり、「固定読み方式＋流し読み方式＋ＡＤＦ固定読み方式」を兼ね備えたものが存在する。
【００１０】
上記従来の画像読取装置では、原稿処理速度を高速化していくと、単位原稿当たりの光照射時間が減少する傾向にある。これを補うために、照明ランプ光量を増加させることで、必要な光量を確保することが行われていた。さらに、読取枚数を上げるために、原稿間隔を狭めて給紙するので、照明ランプは連続点灯を強いられるようになった。これらのことが相まって、照明ランプの温度は著しく上昇する傾向にあった。
【００１１】
これに対し、従来では、画像読取装置内に冷却ファンを設置し、装置内に強制対流を起こして冷却する手法が行われていた（特許文献１参照）。また、冷却ファンによらない場合、ランプ周辺の温度を検知し、この温度が所定温度を越えた場合、流し読み方式から固定読み方式に読み取りモードを切り換え、ランプ部に相対的な対流を促すことで冷却していた（特許文献２参照）。
【特許文献１】特開平１１−１９４７０１号公報
【特許文献２】特開平６−１８６６４８号公報
【発明の開示】
【発明が解決しようとする課題】
【００１２】
しかしながら、上記従来の画像読取装置では、ランプの温度上昇の対策を、完全に冷却ファンに依存して解決する場合、冷却ファンが故障すると、部品の温度が上限温度を越えてしまうことになる。このため、冷却ファンに故障検知機能を付加し、冷却ファンが故障した場合、装置本体にまで被害が及ばないように画像読取装置を停止させる制御を行っていた。従って、冷却ファンが復旧するまで、画像読取装置が動作することはなく、非常に使い難いものであった。
【００１３】
そこで、本発明は、冷却ファンが故障した場合でも、装置を停止させることなく、読み取り動作を行うことができる画像読取装置およびその制御方法を提供することを目的とする。
【課題を解決するための手段】
【００１４】
上記目的を達成するために、本発明の画像読取装置は、複数の読み取りモードの中から決定された読み取りモードに従って、原稿の画像を読み取る画像読取装置であって、前記原稿の画像読み取りに使用される部品を冷却する冷却ファンと、前記冷却ファンの状態を検出する状態検出手段と、前記検出された冷却ファンの状態に応じて読み取りモードを決定する読み取りモード決定手段とを備えたことを特徴とする。
【００１５】
本発明の画像読取装置の制御方法は、複数の読み取りモードの中から決定された読み取りモードに従って、原稿の画像を読み取る画像読取装置の制御方法であって、前記原稿の画像読み取りに使用される部品を冷却する冷却ファンの状態を検出する状態検出ステップと、前記検出された冷却ファンの状態に応じて読み取りモードを決定する読み取りモード決定ステップとを有することを特徴とする。
【発明の効果】
【００１６】
本発明の請求項１に係る画像読取装置によれば、冷却ファンの状態を検出し、この検出された冷却ファンの状態に応じて読み取りモードを決定する。従って、冷却ファンが故障した場合でも、装置を停止させることなく、読み取り動作を行うことができる。
【００１７】
請求項２に係る画像読取装置によれば、１つの冷却ファンが故障した場合でも、他の冷却ファンの状態に応じた読み取りモードで読み取り動作を行うことができる。
【００１８】
請求項３に係る画像読取装置によれば、冷却ファンの回転能力が下がった場合でも、回転能力に応じた読み取りモードで読み取り動作を行うことができる。
【００１９】
請求項４に係る画像読取装置によれば、原稿の読み取り開始前に最適な読み取りモードを決定することができる。
【００２０】
請求項５に係る画像読取装置によれば、原稿の読み取り動作中に冷却ファンが故障しても、読み取り動作を継続することが可能である。
【００２１】
請求項６に係る画像読取装置によれば、読み取り開始前、冷却ファンの回転の立ち上がりを待たずに、読み取りモードを決定することが可能であり、画像読取処理の高速化を図ることができる。
【００２２】
請求項７に係る画像読取装置によれば、ランプ等の構成部品の温度上昇に合わせた適切なタイミングで、読み取りモードを変更することができる。
【００２３】
請求項８に係る画像読取装置によれば、原稿読取動作中、残りの原稿枚数が少ない場合、モードを変更しないで読み取り動作を続けることで、画像読取装置としての能力を高く維持することができる。
【００２４】
請求項９に係る画像読取装置によれば、原稿読取前、原稿読取枚数が少ない場合、冷却ファンの状態に拘わらず、所定の読み取りモードで読み取り動作を開始することで、画像読取装置としての能力を高く維持することができる。
【発明を実施するための最良の形態】
【００２５】
本発明の画像読取装置およびその制御方法の実施の形態について図面を参照しながら説明する。本実施形態の画像読取装置は、画像形成装置に搭載される。
【００２６】
［第１の実施形態］
図１は第１の実施形態における画像形成装置の構成を示す縦断面図である。この画像形成装置は、画像読取装置（リーダ部）１、プリンタ部２、原稿給送装置４およびシート後処理装置５から構成される。
【００２７】
リーダ部１は原稿を画像データに変換するものである。リーダ部１は、原稿載置台（プラテンガラス）１１、スキャナユニット１４、ミラーユニット３６、レンズ１７、および光電変換素子を有するイメージセンサ部（ＣＣＤ）１８を有する。スキャナユニット１４には、ランプ１２およびミラー１３が設けられている。ミラーユニット３６には、ミラー１５および１６が設けられている。また、リーダ部１の内側には、ランプ１２等の部品の温度上昇を抑えるために、１組の冷却ファン３８（３８ａ、３８ｂ）が設けられている。
【００２８】
プリンタ部２は、プリント命令に従って画像データをシート上に可視像として出力する。プリンタ部２は、露光制御部２１、感光体２２、現像器２３、複数種類の記録紙（シート）カセット３４、３５、転写部２６、定着部２７および排紙部２８を有する。また、プリンタ部２は、搬送方向切替部材２９、再給紙用シート積載部３０および搬送ローラ３１を有する。
【００２９】
リーダ部１では、原稿給送装置４上に積載された原稿は１枚づつ順次プラテンガラス１１の面上に搬送される。この原稿給送装置４の構成および動作については後述する。原稿がプラテンガラス１１面上の所定位置に搬送されると、スキャナユニット１４内のランプ１２が点灯し、スキャナユニット１４の移動につれて原稿全面を照射する。原稿からの反射光は、ミラー１３、１５、１６およびレンズ１７を介してイメージセンサ部（ＣＣＤ）１８に入力する。ＣＣＤ１８で光電変換などの電気処理が行われ、さらに通常のディジタル処理が施される。ディジタル処理された信号（画像信号）はプリンタ部２に入力する。
【００３０】
プリンタ部２では、入力した画像信号が露光制御部２１によって変調され、さらにレーザによって光信号に変換される。この光信号は照射光として感光体２２を照射する。この照射光によって感光体２２上に形成された潜像は、現像器２３によって現像される。
【００３１】
一方、現像器２３によって現像される像の先端とタイミングを合わせて、シートカセット３４、３５からシートが搬送され、転写部２６で現像された像がシートに転写される。転写された像は定着部２７でシートに定着された後、排紙部２８からシート後処理装置５側に排出される。シート後処理装置５では、排紙部２８から出力されたシートに対し、予め指定された動作モードに応じて仕分けや綴じなどが行われる。
【００３２】
順次読み込む原稿の画像を１枚のシートの両面に出力する場合、定着部２７で定着されたシートを、一度、排紙部２８まで搬送した後、シートの搬送向きを反転して搬送方向切替部材２９を介して再給紙用シート積載部３０に搬送する。そして、次の原稿が準備されると、上記プロセスと同様、原稿の画像を読み取って、シート積載部３０から搬送されるシートに転写・定着を行う。これにより、同一シートの表面、裏面に２枚の原稿の画像を出力することができる。
【００３３】
図２は原稿給送装置４の構成を示す側面断面図である。原稿給送装置４は、原稿束を積載する原稿積載トレイ４１を有する。この原稿積載トレイ４１には、半月ローラ４２、分離搬送ローラ４３、分離モータ（図示せず）、レジストローラ４４、全面ベルト４５およびベルトモータ（図示せず）が設けられている。また、搬送大ローラ４６、搬送モータ（図示せず）、排紙ローラ４７、フラッパ４８、リサイクルレバー４９、給紙センサ（図示せず）および反転センサ（図示せず）、排紙センサ（図示せず）が設けられている。
【００３４】
原稿給送装置４では、半月ローラ４２および分離搬送ローラ４３が分離モータにより回転し、積載トレイ４１上の原稿束の最下部から原稿が１枚ずつ分離される。レジストローラ４４および全面ベルト４５は、ベルトモータにより回転して分離された原稿を、原稿パスａ、ｂを介して原稿台ガラス１１上の露光位置（原稿パスｃ）まで搬送する。
【００３５】
搬送大ローラ４６は、原稿モータにより回転して原稿台ガラス１１上の原稿を原稿パスｃから原稿パスｅに搬送する。この原稿パスｅに搬送された原稿は、排紙ローラ４７により原稿を積載トレイ４１の原稿束の最上部に戻される。
【００３６】
また、リサイクルレバー４９は、原稿の一循環を検知するものである。即ち、原稿給送開始時にリサイクルレバー４９を原稿束の上部に載せ、原稿が順次給送され、最終原稿の後端がリサイクルレバー４９を抜ける時に自重で落下することで、原稿の一循環が検知される。
【００３７】
両面原稿の場合、原稿を一旦、原稿パスａ、ｂから原稿パスｃに導く。そして、搬送大ローラ４６を回転し、フラッパ４８を切り替え、原稿の先端を原稿パスｄに導く。そして、レジストローラ４４により原稿パスｂを通して、全面ベルト４５で原稿を原稿台ガラス１１上に搬送して停止させる。このように、原稿を原稿パスｃ〜ｄ〜ｂの経路で反転させる。また、原稿束の原稿を１枚づつ原稿パスａ〜ｂ〜ｃ〜ｅを通してリサイクルレバー４９により一循環したことが検知されるまで搬送することで、原稿の枚数をカウントすることもできる。
【００３８】
図３は画像形成装置全体の制御を司るコントローラ（制御部）の構成を示すブロック図である。このコントローラは、ＣＰＵ回路部５０、操作部６５、シート処理装置制御部６６、原稿給送装置制御部５６、イメージリーダ制御部５７、画像信号制御部５３およびプリンタ制御部５４を有する。
【００３９】
ＣＰＵ回路部５０は、ＣＰＵ６１、ＲＯＭ６２、ＲＡＭ６３およびＩ／Ｏインタフェース６４を内蔵する。ＣＰＵ６１は、ＲＯＭ６２に格納された制御プログラムを実行することによって、各部を総括的に制御する。ＲＡＭ６３は、制御データを一時的に保持したり、ＣＰＵ６１が制御プログラムを実行する際、演算処理の作業領域として用いられる。ＣＰＵ回路部５０には、前述したイメージリーダ制御部５７、画像信号制御部５３およびプリンタ制御部５４の他、操作部６５、シート処理装置制御部６６およびファン駆動部６７が接続されている。
【００４０】
原稿給送装置制御部５６は、ＣＰＵ回路部５０からの指示にしたがって、原稿給送装置４を制御する。イメージリーダ制御部５７は、スキャナユニット１４、イメージセンサ部１８などを制御し、イメージセンサ部１８から出力されたアナログ画像信号を画像信号制御部５３に転送する。
【００４１】
画像信号制御部５３は、イメージセンサ部１８からのアナログ画像信号をデジタル信号に変換した後、このデジタル信号に各種処理を施す。さらに、各種処理が施されたデジタル信号をビデオ信号に変換してプリンタ制御部５４に出力する。この画像信号制御部５４の動作は、ＣＰＵ回路部５０により制御される。
【００４２】
プリンタ制御部５４は、入力されたビデオ信号に基づき、レーザスキャナユニット（露光制御部）２１を駆動する。操作部６５は、画像形成に関する各種機能を設定する複数のキー、設定情報を表示する表示部などを有する。そして、各キーの操作に対応するキー信号をＣＰＵ回路部５０に出力し、ＣＰＵ回路部５０からの信号に基づき、対応する情報を表示部に表示する。
【００４３】
シート処理装置制御部６６は、シート処理装置５に搭載され、ＣＰＵ回路部５０と情報のやり取りを行って、シート処理装置全体の制御を行う。
【００４４】
冷却ファン駆動部６７は、一対の冷却ファン３８ａ、３８ｂを駆動するとともに、故障の有無等の状態を検知する。図４は冷却ファン駆動部６７の構成を示す図である。冷却ファン駆動部６７は、冷却ファン３８を駆動するモータ駆動部６７ａ、および冷却ファン３８の故障を検知する故障検知部６７ｂから構成される。モータ駆動部６７ａは、ＣＰＵ回路部５０から駆動信号に従って、インペラが軸支されたファンモータに電力を供給するトランジスタＱ1、Ｑ２を中心に構成される。
【００４５】
故障検知部６７ｂは、インペラの回転数を検知する回転数センサからの信号周波数を電圧に変換するＦＶコンバータ、およびこの電圧が閾値以下である場合、故障を検知するコンパレータから構成される。回転数センサとして、例えば、フォトインタラプタが用いられる。ファンモータに電圧が供給されて冷却ファン３８の回転数が上がると、ＦＶコンバータの出力電圧は閾値を越えるので、コンパレータから「故障無し」を表す信号がＣＰＵ回路部５０に入力される。一方、冷却ファン３８が故障し、その回転数が上がらなかった場合、ＦＶコンバータの出力電圧は閾値以下となり、コンパレータから「故障有り」を表す信号がＣＰＵ回路部５０に入力される。ファンモータとしては、ＤＣブラシレスモータが用いられる。
【００４６】
具体的に、冷却ファン駆動部６７では、ファンモータを回転させる場合、ＣＰＵ回路５０は、その出力ポート０をＨレベルにする。これにより、トランジスタＱ１、Ｑ２が共にＯＮとなり、ファンモータに２４Ｖの電圧が供給される。この結果、ファンモータは回転する。また、ファンモータを停止させる場合、ＣＰＵ回路部５０は、出力ポート０をＬレベルにする。これにより、トランジスタＱ１、Ｑ２が共にＯＦＦとなり、ファンモータに供給される電圧は０Ｖとなる。
【００４７】
上記構成を有する画像形成装置に搭載された画像読取装置の動作を示す。本実施形態の画像読取装置は、「固定読み方式＋流し読み方式＋ＡＤＦ固定読み方式」の３つの読み取りモードを有する。図５は固定読み方式における画像読取装置内部の動きを示す図である。固定読み方式の場合、オペレータが原稿台ガラス上に原稿Ｐを置いて読み取り開始を指令すると、読み取り（ＣＣＤ）センサ１８は主走査方向に読み取りを行う。これと同時に、スキャナユニット１４を副走査方向に動かすことで、原稿全面の画像が読み取られる。この場合、原稿の交換はオペレータによって行われる。原稿の交換には、ある程度の時間を要するので、画像読取装置のランプ等の部品に通電されている時間は短くなる。従って、装置内の部品は過度の温度上昇を起こさず、冷却系を特に必要としない。同図（Ａ）、（Ｂ）では、冷却ファンが作動していない状態が描かれている。
【００４８】
流し読み方式の場合、スキャナユニット１４の位置を固定し、原稿Ｐを副走査方向に搬送することで、原稿の画像が読み取られる。本実施形態の画像読取装置では、固定読みと流し読みを行う領域を区分けしていない「ベルト流し読み」と呼ばれる方式が採用される。この方式では、読み取り画像を適正にするために原稿が読み取り領域に全て入った後に読み取りを開始する必要がある。このため、原稿の副走査方向における大きさによって読み取り位置が区別される。即ち、副走査方向の長さがＡ４程度（２１０ｍｍ）である場合を想定した「Ｓｍａｌｌ流し読み」と、Ａ３程度（４２０ｍｍ）である場合を想定した「Ｌａｒｇｅ流し読み」との２つの読み取り位置に大別される。
【００４９】
図６はＳｍａｌｌ流し読み方式における画像読取装置内部の動きを示す図である。Ｓｍａｌｌ流し読みでは、画像読取装置の副走査方向の中央に読み取り位置を固定して原稿の画像を読み取る。この場合、ＡＤＦによって原稿は絶え間なく搬送されるので、ランプ１２は連続点灯を強いられる。従って、ランプ１２の温度上昇が大きくなるので、２つの冷却ファン３８ａ、３８ｂを用い、ランプ１２の冷却を行う。
【００５０】
図７はＬａｒｇｅ流し読み方式における画像読取装置内部の動きを示す図である。Ｌａｒｇｅ流し読みでは、画像読取装置の副走査方向の最下流に読み取り位置を固定して原稿の画像を読み取る。この場合、Ｓｍａｌｌ流し読みと同様の理由により、２つの冷却ファン３８ａ、３８ｂを用い、ランプ１２の冷却を行う。
【００５１】
図８はＡＤＦ固定読み方式における画像読取装置内部の動きを示す図である。ＡＤＦ固定読み方式では、オペレータに代わってＡＤＦが原稿を読み取り位置に導き、スキャナユニット１４を移動させて画像を読み取る。ＡＤＦが連続的に原稿を搬送するので、装置の稼働率は高くなり、これに伴って部品の温度上昇も大きくなる。しかし、流し読みほど温度上昇が大きくないので、ここでは、冷却ファン３８ａだけが動作する。
【００５２】
図９は読み取りモードとそれに必要な冷却ファンとの関係を示すテーブルである。このテーブルはＣＰＵ回路部５０内のＲＯＭ６２に格納されている。具体的に、固定読みモードでは、冷却ファン３８ａ、３８ｂのいずれも不要である。ＳｍａｌｌおよびＬａｒｇｅ流し読みモードでは、冷却ファン３８ａ、３８ｂの両方が必要である。ＡＤＦ固定読みモードでは、冷却ファン３８ａが必要である。なお、ここでは、冷却ファン３８ａが必要であるが、冷却ファン３８ａ、３８ｂのいずれか１つが必要であるようにしてもよい。
【００５３】
通常、読み取りモードは、ＡＤＦの原稿サイズセンサや、前回原稿読み取り時の原稿台ガラスの汚れ具合などの要因で決定される。しかし、本実施形態では、各モード毎に必要とされる冷却ファンが決まっている。従って、冷却ファンに故障が起きた場合、温度上昇を抑えることができなくなるので、読み取りモードを変更する必要がある。
【００５４】
図１０は冷却ファンの状態から読み取りモードを決定する処理手順を示すフローチャートである。この処理プログラムは、ＲＯＭ６２に格納されており、オペレータによって原稿の読み取り開始が指示されると、ＣＰＵ６１によって実行される。
【００５５】
まず、２つの冷却ファン３８（３８ａ、３８ｂ）を駆動する（ステップＳ１）。そして、冷却ファン３８ａを調査し、冷却ファン３８ａが故障しているか否かを判別する（ステップＳ２）。冷却ファン３８ａが故障している場合、固定読み以外に変更できない（図９参照）ので、読み取りモードを固定読みモードに設定する（ステップＳ３）。この後、本処理を終了する。
【００５６】
一方、ステップＳ２で冷却ファン３８ａが正常である場合、冷却ファン３８ｂを調査し、冷却ファン３８ｂが故障しているか否かを判別する（ステップＳ４）。冷却ファン３８ｂが故障している場合、読み取りモードをＡＤＦ固定読みに設定する（ステップＳ５）。この後、本処理を終了する。
【００５７】
一方、ステップＳ４で冷却ファン３８ａ、３８ｂの両方が正常である場合、流し読み、ＡＤＦ固定読みおよび固定読みを含む全ての読み取りモードを選択可能である（ステップＳ６）。これにより、オペレータは、操作部６５を介して任意の読み取りモードを選択する。この後、本処理を終了する。
【００５８】
第１の実施形態の画像読取装置によれば、冷却ファンを駆動してその状態を調査することで、故障の有無など、その状態に応じた読み取りモードを選択することができる。これにより、冷却ファンが故障しても、読み取り動作を開始させることができる。なお、前述したように、ＡＤＦ固定読みモードの場合、冷却ファン３８ｂだけを動作させてもよい。
【００５９】
［第２の実施形態］
前記第１の実施形態では、画像読み取りを開始する際、冷却ファンの状態を調査して読み取りモードを決定していたが、原稿の読み取り動作中に冷却ファンが故障した場合に対応していなかった。第２の実施形態の画像読取装置は、原稿読み取り動作中に冷却ファンが故障した場合にも対応するものである。なお、読み取り開始時における読み取りモードの決定は、前記第１の実施形態と同様である。
【００６０】
第２の実施形態の画像形成装置およびこの画像形成装置に搭載された画像読取装置の構成は、前記第１の実施形態とほぼ同様であるので、同一の符号を用いることにより、その説明を省略する。ここでは、前記第１の実施形態と異なる処理を示す。
【００６１】
図１１は第２の実施形態における読取動作中の冷却ファンの状態に応じて読み取りモードを変更する処理手順を示すフローチャートである。この処理プログラムは、ＲＯＭ６２に格納されており、原稿の読み取り動作中、ＣＰＵ６１によって繰り返し実行される。
【００６２】
まず、流し読みモードであるか否かを判別する（ステップＳ１１）。流し読みモードである場合、冷却ファン３８ａの状態を調査し、冷却ファン３８ａが故障しているか否かを判別する（ステップＳ１２）。冷却ファン３８ａが故障していた場合、固定読みモードしか選択の余地がないので、固定読みモードに変更する（ステップＳ１３）。この後、本処理を終了する。
【００６３】
一方、冷却ファン３８ａが正常である場合、冷却ファン３８ｂが故障しているか否かを判別する（ステップＳ１４）。冷却ファン３８ｂが故障している場合、冷却ファン３８ａだけで動作可能なＡＤＦ固定読みモードに変更する（ステップＳ１５）。この後、本処理を終了する。一方、ステップＳ１４で冷却ファン３８ａ、３８ｂの両方が正常である場合、流し読みモードを続けられるので、読み取りモードを変更しない（ステップＳ１６）。この後、本処理を終了する。
【００６４】
一方、ステップＳ１１で流し読みモードでない場合、ＡＤＦ固定読みモードであるか否かを判別する（ステップＳ１７）。ＡＤＦ固定読みモードである場合、冷却ファン３８ａの状態を調査し、冷却ファン３８ａが故障しているか否かを判別する（ステップＳ１８）。冷却ファン３８ａが故障している場合、固定読みモードに変更する（ステップＳ１９）。この後、本処理を終了する。一方、冷却ファン３８ａが正常である場合、読み取りモードを変更しない（ステップＳ２０）。この後、本処理を終了する。
【００６５】
また一方、ステップＳ１７でＡＤＦ固定読みモードでない場合、冷却ファンを元々必要としていない固定読みモードと判断されるので、読み取りモードを変更しない（ステップＳ２１）。この後、本処理を終了する。
【００６６】
このように、第２の実施形態の画像読取装置によれば、原稿の読み取り動作中に冷却ファンが故障しても、読み取り動作を継続することが可能である。
【００６７】
［第３の実施形態］
画像読取装置におけるランプ等の構成部品の温度上昇は、原稿の読み取りを開始してから、すぐさま起こるわけではなく、ある程度の時間が経過してから起こる。そこで、第３の実施形態では、読み取りを開始してからある程度時間が経過した後、読み取りモードを変更する。
【００６８】
ここで、読み取り開始時の読み取りモードは、ＡＤＦへの原稿の載置や前の原稿読み取り時の原稿台ガラスへのゴミの付着状況など、他の要因によって決められる。なお、前記第１の実施形態と同様、冷却ファンの状態によって決めるようにしてもよい。
【００６９】
第３の実施形態の画像形成装置およびこれに搭載された画像読取装置の構成は、前記第１の実施形態とほぼ同様であるので、同一の符号を用いることにより、その説明を省略する。ここでは、前記第２の実施形態と異なる処理を示す。
【００７０】
図１２は第３の実施形態における読取動作所定時間後の冷却ファンの状態から読み取りモードを変更する処理手順を示すフローチャートである。この処理プログラムは、ＲＯＭ６２に格納されており、原稿の読み取り動作中、ＣＰＵ６１によって繰り返し実行される。
【００７１】
まず、原稿の読み取りを開始してから所定時間が経過したか否かを判別する（ステップＳ１１Ａ）。この所定時間は予めＲＯＭ６２に登録されている。所定時間が経過していない場合、このステップ処理を繰り返す。一方、所定時間が経過した場合、冷却ファンの状態を調査して適切な読み取りモードに変更するためのステップＳ１１以降の処理に移行する。この読み取りモードの変更処理（ステップＳ１１〜Ｓ２１）は、前記第２の実施形態と同様であるので、その説明を省略する。
【００７２】
このように、第３の実施形態の画像読取装置によれば、ランプ等の構成部品の温度上昇に合わせた適切なタイミングで、読み取りモードを切り換えることができる。
【００７３】
［第４の実施形態］
第４の実施形態では、第３の実施形態と同様の背景により、読み取りを開始してからある程度の原稿読み取りを行った後、読み取りモードを変更する。
【００７４】
第４の実施形態の画像形成装置およびこれに搭載された画像読取装置の構成は、前記第１の実施形態とほぼ同様であるので、その説明を省略する。ここでは、前記第３の実施形態と異なる処理を示す。
【００７５】
図１３は第４の実施形態における読取動作所定枚数後の冷却ファンの状態から読み取りモードを変更する処理手順を示すフローチャートである。この処理プログラムは、ＲＯＭ６２に格納されており、原稿の読み取り動作中、ＣＰＵ６１によって繰り返し実行される。
【００７６】
まず、原稿の読み取り動作を開始してから、所定枚数の原稿が読み込まれたか否かを判別する（ステップＳ１１Ｂ）。この所定枚数は予めＲＯＭ６２に登録されている。所定枚数の原稿が読み込まれていない場合、ステップＳ１１Ｂの処理を繰り返す。一方、所定枚数の原稿が読み込まれた場合、冷却ファンの状態を調査して適切な読み取りモードに変更するためのステップＳ１１以降の処理に移行する。この読み取りモードの変更処理（ステップＳ１１〜Ｓ２１）は、前記第２、第３の実施形態と同様であるので、その説明を省略する。
【００７７】
このように、第４の実施形態の画像読取装置によれば、前記第３の実施形態と同様、ランプ等の構成部品の温度上昇に合わせた適切なタイミングで、読み取りモードを切り換えることができる。
【００７８】
［第５の実施形態］
前記第１〜第４の実施形態では、読み取りモードを決定する直前に冷却ファンの状態を調査していた。第５の実施形態では、毎回調査しなくとも現状の冷却ファンの状態を記憶しておき、次の読み取り開始時に参照する場合を示す。第５の実施形態の画像形成装置およびこれに搭載された画像読取装置の構成は、前記第１の実施形態とほぼ同様であるので、その説明を省略する。
【００７９】
図１４は第５の実施形態における冷却ファンの状態を記憶する処理手順を示すフローチャートである。この処理プログラムは、ＲＯＭ６２に格納されており、ＣＰＵ６１によって所定時間毎に繰り返し実行される。
【００８０】
まず、冷却ファン３８ａ、３８ｂを駆動する（ステップＳ３１）。そして、冷却ファン３８ａ、３８ｂの状態を調査し、故障の有無を検出する（ステップＳ３２、Ｓ３３）。そして、検出結果をＲＡＭ６３に記録する（ステップＳ３４）。この後、本処理を終了する。
【００８１】
図１５は記憶された冷却ファンの状態に応じて読み取りモードを決定する処理手順を示すフローチャートである。この処理プログラムは、ＲＯＭ６２に格納されており、オペレータによって原稿の読み取り開始が指示されると、ＣＰＵ６１によって実行される。
【００８２】
まず、冷却ファン３８ａ、３８ｂを駆動する（ステップＳ４１）。ステップＳ３４でＲＡＭ６３に記録された冷却ファン３８ａ、３８ｂの状態（故障の有無）を参照する（ステップＳ４２）。この記録結果を基に、読み取りモードを決定する（ステップＳ４３）。この後、本処理を終了する。
【００８３】
ステップＳ４３における読み取りモードの決定処理は、前記第１の実施形態におけるステップＳ２〜Ｓ６の処理と同様であるので、ここではその詳細な説明を省略する。即ち、冷却ファン３８ａが故障している場合、固定読みモードに、冷却ファン３８ａが正常で冷却ファン３８ｂが故障している場合、ＡＤＦ固定読みモードに設定する。冷却ファン３８ａおよび冷却ファン３８ｂの両方が正常である場合、流し読みモード、ＡＤＦ固定読みモードおよび固定読みモードのいずれも選択可能である。
【００８４】
このように、第５の実施形態の画像読取装置によれば、読み取り開始時、冷却ファンの回転の立ち上がりを待たずに、読み取りモードを決定することができるので、画像読取処理の高速化を図ることができる。
【００８５】
［第６の実施形態］
前記第２〜第４の実施形態では、複数の原稿を読み取る最中に読み取りモードを変更していた。この読み取りモードを変更する場合、僅かながら時間がかかったり、モードの変更前後で単位時間あたりの原稿読み取り枚数（生産性）が減少していた。第６の実施形態では、残りの原稿枚数が少ない場合、モードを変更しないで読み取りを続けることで、画像読取装置としての能力を高く維持することができる。なお、原稿読み取り開始時における読み取りモードの決定は、前記第１の実施形態と同様である。
【００８６】
第６の実施形態の画像形成装置およびこの画像形成装置に搭載された画像読取装置の構成は、前記第１の実施形態と同様であるので、同一の符号を用いることにより、その説明を省略する。ここでは、前記第２〜第４の実施形態と異なる処理を示す。
【００８７】
図１６は第６の実施形態における原稿残り枚数が所定枚数以下で冷却ファンの状態から読み取りモードを変更する処理手順を示すフローチャートである。この処理プログラムは、ＲＯＭ６２に格納されており、原稿の読み取り動作中、ＣＰＵ６１によって繰り返し実行される。
【００８８】
まず、残りの原稿の枚数が所定枚数以下であるか否かを判別する（ステップＳ１1Ｃ）。この所定枚数はＲＯＭ６２に予め登録されている。なお、ＲＯＭ６２に登録する代わりに、オペレータ（操作者）が操作部６５を介して所定枚数を入力してＲＡＭ６３に設定できるようにしてもよい。また、残りの原稿の枚数は、予め操作者が操作部６５を介して全原稿枚数を入力し、原稿を搬送する都度、１枚ずつ減算することによって判断される。なお、操作者が全原稿枚数を入力する代わりに、読み取り開始前、原稿を読み取らずに全て搬送し、原稿の枚数を自動的に計数することによって取得してもよい。
【００８９】
ステップＳ１１Ｃで残りの原稿の枚数が所定枚数以下で少ない場合、読み取りモードを変更することなく、最後まで現状の読み取りモードで読み取り動作を続けるようにする（ステップＳ２２）。この後、本処理を終了する。
【００９０】
一方、ステップＳ１１Ｃで残りの原稿の枚数が所定枚数を越える場合、前記第２〜第４の実施形態と同様のステップ処理（Ｓ１１〜Ｓ２１）を行う。そして、冷却ファンの状態から読み取りモードを決定する。この後、本処理を終了する。
【００９１】
このように、第６の実施形態の画像読取装置によれば、残りの原稿枚数が少ない場合、モードを変更しないで読み取りを続けることで、画像読取装置としての能力を高く維持することができる。
【００９２】
［第７の実施形態］
前記第１、第５の実施形態では、原稿読み取り開始前に、冷却ファンの状態（故障の有無）から原稿の読み取りモードを決定していた。冷却ファンに故障がない場合の読み取りモードと、故障があった場合の読み取りモードでは、前述したように生産性に差が生じる。第７の実施形態では、読み取る原稿の枚数が少ない場合、冷却ファンの状態にかかわらず、所定の読み取りモードで読み取りを開始する。これにより、画像読取装置としての能力を高く発揮できる。
【００９３】
第７の実施形態の画像形成装置およびこの画像形成装置に搭載された画像読取装置の構成は、前記第１の実施形態と同様であるので、その説明を省略する。ここでは、前記第１の実施形態と異なる処理を示す。
【００９４】
図１７は第７の実施形態における原稿読取枚数が所定枚数以下で冷却ファンの状態から読み取りモードを決定する処理手順を示すフローチャートである。この処理プログラムは、ＲＯＭ６２に格納されており、オペレータによって原稿の読み取り開始が指示されると、ＣＰＵ６１によって実行される。
【００９５】
まず、読取原稿の枚数が所定枚数以下であるか否かを判別する（ステップＳ１Ａ）。この所定枚数は、前記第６の実施形態と同様に設定される。読取原稿の枚数が所定枚数以下の場合、冷却ファンの故障に依存せず、読み取りモードを決定する（ステップＳ７）。この後、本処理を終了する。
【００９６】
一方、ステップＳ１Ａで残りの原稿の枚数が所定枚数を越える場合、前記第１の実施形態と同様のステップＳ１〜Ｓ６の処理を行う。即ち、冷却ファンを駆動して冷却ファンの故障状態を調査し、この調査結果を基に読み取りモードを決定する。この後、本処理を終了する。
【００９７】
第７の実施形態における画像読取装置によれば、読み取る原稿の枚数が少ない場合、冷却ファンの状態にかかわらず、読み取りを開始することで、画像読取装置としての能力を高く発揮できる。
【００９８】
［第８の実施形態］
前記第１〜第７の実施形態では、２つの冷却ファンは単にＯＮ／ＯＦＦ駆動されるものであったが、第８の実施形態では、２つの冷却ファンはそれぞれ低速・高速の２段階の回転能力で駆動可能である。第８の実施形態の画像形成装置およびこの画像形成装置に搭載された画像読取装置の構成は、前記第１の実施形態とほぼ同様であるので、同一の構成要素については、同一の符号を付すことによりその説明を省略する。
【００９９】
図１８は第８の実施形態における冷却ファン駆動部６７の構成を示す図である。冷却ファン駆動部６７は、冷却ファン３８を駆動するモータ駆動部１６７ａ、および冷却ファン３８の故障を検知する故障検知部６７ｂから構成される。モータ駆動部１６７ａは、トランジスタＱ1、Ｑ２を中心に構成された高速駆動部、およびトランジスタＱ３、Ｑ４を中心に構成された低速駆動部からなる。
【０１００】
高速駆動部では、前記第１の実施形態と同様、２４Ｖでファンモータを駆動してインペラを高速で回転させる。一方、低速駆動部では、高速駆動部より一段低い電圧でファンモータを駆動してインペラを低速で回転させる。
【０１０１】
具体的に、ファンモータを高速で回転させる場合、ＣＰＵ回路部５０は、出力ポート０をＨレベルにする。これにより、トランジスタＱ１、Ｑ２が共にＯＮとなり、ファンモータに２４Ｖの電圧が供給される。一方、ファンモータを低速で回転させる場合、ＣＰＵ回路部５０は、出力ポート０、出力ポート１を共にＬレベルにする。これにより、トランジスタＱ４がＯＮとなり、ファンモータに一段低い電圧（例えば、１１Ｖ）が供給される。さらに、ファンモータを停止させる場合、ＣＰＵ回路部５０は、出力ポート０をＬレベルにし、出力ポート１をＨレベルにする。これにより、トランジスタＱ１、Ｑ２、Ｑ４が共にＯＦＦとなり、ファンモータに供給される電圧は０Ｖとなる。
【０１０２】
故障検知部６７ｂは、インペラの回転数を検知する回転数センサからの信号周波数を電圧に変換するＦＶコンバータ、およびこの電圧が閾値以下である場合、故障を検知するコンパレータから構成される。回転数センサとして、例えば、フォトインタラプタが用いられる。ファンモータに電圧が供給されて冷却ファン３８の回転数が上がると、ＦＶコンバータの出力電圧は閾値を越えるので、コンパレータから「故障無し」を表す信号がＣＰＵ回路部５０に入力される。一方、冷却ファン３８が故障し、その回転数が上がらなかった場合、ＦＶコンバータの出力電圧は閾値以下となり、コンパレータから「故障有り」を表す信号がＣＰＵ回路部５０に入力される。ここでは、ファンモータに２４Ｖ、１２Ｖの電圧が供給されるそれぞれの場合において、故障検知が行われる。
【０１０３】
図１９は読み取りモードとそれに必要なファンとの関係を示すテーブルである。このテーブルはＣＰＵ回路部５０内のＲＯＭ６２に格納されている。このテーブルには、読み取りモードパターン１および読み取りモードパターン２の場合が示されている。使用される読み取りモードパターンの種類は、オペレータが操作部６５を介して任意に設定可能である。
【０１０４】
読み取りモードパターン１では、冷却ファン３８ａ、３８ｂの両方が高速回転である場合、ラージ流し読みモードが設定可能である。冷却ファン３８ａ、３８ｂの一方が高速回転でありかつ他方が低速回転である場合、スモール流し読みモードが設定可能である。冷却ファン３８ａ、３８ｂの両方が低速回転である場合、あるいは冷却ファン３８ａ、３８ｂの一方が高速回転でありかつ他方が故障している場合、ＡＤＦ固定読みモードが設定可能である。冷却ファン３８ａ、３８ｂの両方が故障している場合、あるいは一方が低速回転でありかつ他方が故障している場合、固定読みモードが設定可能である。
【０１０５】
また、読み取りモードパターン２では、冷却ファン３８ａ、３８ｂの両方が高速回転である場合、流し読みモードが設定可能である。冷却ファン３８ａ、３８ｂの一方が高速回転でありかつ他方が低速回転である場合、ＡＤＦ固定読みモードが設定可能である。冷却ファン３８ａ、３８ｂの両方が低速回転である場合、あるいは冷却ファン３８ａ、３８ｂの一方が高速回転でありかつ他方が故障している場合、固定読みモードが設定可能である。冷却ファン３８ａ、３８ｂの両方が故障している場合、あるいは一方が低速回転でありかつ他方が故障している場合、読み取りモードは設定不可能である。
【０１０６】
図２０は読み取りモードパターン１において冷却ファンの状態から読み取りモードを決定する処理手順を示すフローチャートである。この処理プログラムは、ＲＯＭ６２に格納されており、オペレータによって原稿の読み取り開始が指示されると、ＣＰＵ６１によって実行される。ここでは、予めオペレータによって読み取りモードパターン１が設定されているものとする。なお、読み取りモードパターン２が設定される場合も同様である。
【０１０７】
まず、２つの冷却ファン３８（３８ａ、３８ｂ）を駆動し（ステップＳ６１）、各冷却ファンの状態を調べる（ステップＳ６２）。このとき、各冷却ファンを高速回転および低速回転で駆動し、それぞれの回転能力で駆動される冷却ファンの状態を調べる。この結果、冷却ファン３８ａ、３８ｂの両方が高速回転可能である場合、ラージ流し読み、スモール流し読み、ＡＤＦ固定読みおよび固定読みモードを選択可能にする（ステップＳ６３）。この後、本処理を終了する。
【０１０８】
一方、ステップ６２の調査結果、冷却ファン３８ａ、３８ｂの一方が高速回転可能でありかつ他方が低速回転可能である場合、スモール流し読み、ＡＤＦ固定読みおよび固定読みモードを選択可能にする（ステップＳ６４）。この後、本処理を終了する。
【０１０９】
また一方、ステップ６２の調査結果、冷却ファン３８ａ、３８ｂの両方が低速回転可能である場合、ＡＤＦ固定読みおよび固定読みモードを選択可能にする（ステップＳ６５）。また、一方が高速回転可能でありかつ他方が動かない場合も同様である。この後、本処理を終了する。
【０１１０】
また一方、ステップ６２の調査結果、冷却ファン３８ａ、３８ｂの両方が動かない場合、あるいは一方が低速回転可能でありかつ他方が動かない場合、固定読みモードに設定する（ステップＳ６６）。この後、本処理を終了する。
【０１１１】
オペレータは、上記処理により選択可能に設定された読み取りモードの中から所望の読み取りモードを選択し、読み取り動作を開始することができる。
【０１１２】
図２１および図２２は冷却ファンの状態に応じて読み取りモードを変更する処理手順を示すフローチャートである。この処理プログラムは、ＲＯＭ６２に格納されており、原稿の読み取り動作中、ＣＰＵ６１によって繰り返し実行される。
【０１１３】
まず、現在の読み取りモードがラージ流し読みモードであるか否かを判別する（ステップＳ７１）。ラージ流し読みモードである場合、冷却ファン３８ａ、３８ｂを高速回転および低速回転で駆動し、それぞれの状態を調べる（ステップＳ７２）。冷却ファン３８ａ、３８ｂの両方が高速回転可能である場合、読み取りモードを変更することなく、ラージ流し読みモードを継続する（ステップＳ７３）。この後、本処理を終了する。
【０１１４】
また、冷却ファン３８ａ、３８ｂの両方が低速回転可能である場合、あるいは一方が高速回転可能でありかつ他方が動かない場合、ＡＤＦ固定読みモードに変更する（ステップＳ７４）。また、一方が高速回転可能でありかつ他方が低速回転可能である場合も、同様にＡＤＦ固定読みモードに変更する。この後、本処理を終了する。
【０１１５】
また、冷却ファン３８ａ、３８ｂの両方が動かない場合、あるいは一方が低速回転可能でありかつ他方が動かない場合、固定読みモードに変更する（ステップＳ７５）。この後、本処理を終了する。
【０１１６】
一方、ステップＳ７１でラージ流し読みモードでない場合、スモール流し読みモードであるか否かを判別する（ステップＳ７６）。スモール流し読みモードである場合、冷却ファン３８ａ、３８ｂを高速回転および低速回転で駆動し、それぞれの状態を調べる（ステップＳ７７）。冷却ファン３８ａ、３８ｂの両方が高速回転可能である場合、読み取りモードを変更することなく、スモール流し読みモードを継続する（ステップＳ７８）。また、一方が高速回転可能でありかつ他方が低速回転可能である場合も、同様にスモール流し読みモードを継続する。この後、本処理を終了する。
【０１１７】
また、冷却ファン３８ａ、３８ｂの両方が低速回転可能である場合、あるいは一方が高速回転可能でありかつ他方が動かない場合、ＡＤＦ固定読みモードに変更する（ステップＳ７９）。この後、本処理を終了する。
【０１１８】
また、冷却ファン３８ａ、３８ｂの両方が動かない場合、あるいは一方が低速回転可能でありかつ他方が動かない場合、固定読みモードに変更する（ステップＳ８０）。この後、本処理を終了する。
【０１１９】
一方、ステップＳ７６でスモール流し読みモードでない場合、ＡＤＦ固定読みモードであるか否かを判別する（ステップＳ８１）。ＡＤＦ固定読みモードである場合、冷却ファン３８ａ、３８ｂを高速回転および低速回転で駆動し、それぞれの状態を調べる（ステップＳ８２）。冷却ファン３８ａ、３８ｂの両方が低速回転可能である場合、読み取りモードを変更することなく、ＡＤＦ固定読みモードを継続する（ステップＳ８３）。また、冷却ファン３８ａ、３８ｂの一方が高速回転可能でありかつ他方が動かない場合も、同様にＡＤＦ固定読みモードを継続する。また、両方が高速回転可能である場合、あるいは一方が高速回転可能でありかつ他方が低速回転可能である場合も、同様にＡＤＦ固定読みモードを継続する。
【０１２０】
また、冷却ファン３８ａ、３８ｂの両方が動かない場合、あるいは一方が低速回転可能でありかつ他方が動かない場合、固定読みモードに変更する（ステップＳ８４）。この後、本処理を終了する。
【０１２１】
一方、ステップＳ８１でＡＤＦ固定読みモードでない場合、読み取りモードを変更することなく、固定読みモードを継続する（ステップＳ８５）。この後、本処理を終了する。
【０１２２】
このように、第８の実施形態における画像読取装置によれば、２段階の回転能力で駆動可能な冷却ファンの状態に応じて、最適な読み取りモードを設定することができる。
【０１２３】
なお、本発明は、上記実施形態の構成に限られるものではなく、特許請求の範囲で示した機能、または本実施形態の構成が持つ機能が達成できる構成であればどのようなものであっても適用可能である。
【０１２４】
上記各実施形態では、冷却ファンの数が２つである場合を示したが、３つ以上であってもよい。例えば、３つの冷却ファンの場合、流し読みモードでは３つの冷却ファンを必要とし、ＡＤＦ固定読みモードでは２つの冷却ファンを必要とし、固定読みモードでは１つの冷却ファンを必要としてもよい。これにより、前記第１、第２の実施形態と同様、読み取り開始時および読み取り動作中、冷却ファンの状態に応じた最適な読み取りモードに設定することが可能となる。
【０１２５】
また、ラージ流し読みモードでは３つのファンを必要とし、スモール流し読みモードでは２つの冷却ファンを必要とし、ＡＤＦ固定読みモードでは１つの冷却ファンを必要としてもよい。同様に、読み取り開始時および読み取り動作中、冷却ファンの状態に応じた最適な読み取りモードに設定することが可能となる。
【０１２６】
また、２つの冷却ファンの代わりに、２段階の回転能力を有し、主走査方向に長いクロスフローファンを１つだけ用いてもよい。
【０１２７】
この場合、強（高速）の回転能力を２つの冷却ファンの場合と同様と捉え、弱（低速）の回転能力を１つの冷却ファンの場合と同様と捉えることで、前記第１、第２の実施形態と同様の制御が可能となる。即ち、強（高速）・弱（低速）いずれも回転できない場合、固定読みモードに設定する。また、強の回転ができず弱の回転のみができる場合、ＡＤＦ固定読みモードあるいは固定読みモードに設定可能である。強・弱両方の回転ができる場合、流し読みモード、ＡＤＦ固定読みモードあるいは固定読みモードのいずれに設定可能にしてもよい。
【０１２８】
さらには、回転能力を強（高速）・中（中速）・弱（低速）の３段階に制御可能な場合にも適用可能である。即ち、強（高速）の回転ができる場合、流し読みモードに設定し、中（中速）の回転ができる場合、ＡＤＦ固定読みモードに設定し、弱（低速）の回転ができる場合、固定読みモードに設定してもよい。あるいは、強の回転ができる場合、ラージ流し読みモードに設定し、中の回転ができる場合、スモール流し読みモードに設定し、弱の回転ができる場合、ＡＤＦ固定読みモードに設定してもよい。
【０１２９】
また、冷却ファンの故障としては、全くインペラが動かない状態の他、予め設定された閾値に回転数が達しない状態なども挙げられる。
【０１３０】
また、本発明は、画像読取装置として、画像形成装置のリーダ部に適用された場合を示したが、スキャナ装置単体に適用されてもよいことは勿論である。
【０１３１】
また、本発明の目的は、以下によっても達成される。即ち、前述した各実施の形態の機能を実現するソフトウェアのプログラムコードを記憶した記憶媒体を、システム或いは装置に供給する。そのシステム或いは装置のコンピュータ（またはＣＰＵやＭＰＵ等）が記憶媒体に格納されたプログラムコードを読み出して実行する。
【０１３２】
この場合、記憶媒体から読み出されたプログラムコード自体が前述した各実施の形態の機能を実現することになる。また、そのプログラムコード及び該プログラムコードを記憶した記憶媒体は本発明を構成することになる。
【０１３３】
また、プログラムコードを供給するための記憶媒体として、例えば、フロッピー（登録商標）ディスク、ハードディスク、光磁気ディスク、ＣＤ−ＲＯＭ、ＣＤ−Ｒ、ＣＤ−ＲＷを用いることができる。また、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、ネットワークを介してプログラムコードをダウンロードしてもよい。
【０１３４】
また、コンピュータが読み出したプログラムコードを実行することにより、前述した各実施の形態の機能が実現されるだけではなく、以下の場合も含まれる。即ち、そのプログラムコードの指示に基づき、コンピュータ上で稼動しているＯＳ（オペレーティングシステム）等が実際の処理の一部または全部を行う。このような処理によって前述した各実施の形態の機能が実現される場合も含まれる。
【０１３５】
さらに、記憶媒体から読み出されたプログラムコードが、コンピュータに挿入された機能拡張ボードやコンピュータに接続された機能拡張ユニットに備わるメモリに書き込まれる。この後、そのプログラムコードの指示に基づき、その拡張機能を拡張ボードや拡張ユニットに備わるＣＰＵ等が実際の処理の一部または全部を行う。このような処理によって前述した各実施の形態の機能が実現される場合も含まれる。
【図面の簡単な説明】
【０１３６】
【図１】第１の実施形態における画像形成装置の構成を示す縦断面図である。
【図２】原稿給送装置４の構成を示す側面断面図である。
【図３】画像形成装置全体の制御を司るコントローラ（制御部）の構成を示すブロック図である。
【図４】冷却ファン駆動部６７の構成を示す図である。
【図５】固定読み方式における画像読取装置内部の動きを示す図である。
【図６】Ｓｍａｌｌ流し読み方式における画像読取装置内部の動きを示す図である。
【図７】Ｌａｒｇｅ流し読み方式における画像読取装置内部の動きを示す図である。
【図８】ＡＤＦ固定読み方式における画像読取装置内部の動きを示す図である。
【図９】読み取りモードとそれに必要な冷却ファンとの関係を示すテーブルである。
【図１０】冷却ファンの状態から読み取りモードを決定する処理手順を示すフローチャートである。
【図１１】第２の実施形態における読取動作中の冷却ファンの状態に応じて読み取りモードを変更する処理手順を示すフローチャートである。
【図１２】第３の実施形態における読取動作所定時間後の冷却ファンの状態から読み取りモードを変更する処理手順を示すフローチャートである。
【図１３】第４の実施形態における読取動作所定枚数後の冷却ファンの状態から読み取りモードを変更する処理手順を示すフローチャートである。
【図１４】第５の実施形態における冷却ファンの状態を記憶する処理手順を示すフローチャートである。
【図１５】記憶された冷却ファンの状態に応じて読み取りモードを決定する処理手順を示すフローチャートである。
【図１６】第６の実施形態における原稿残り枚数が所定枚数以下で冷却ファンの状態から読み取りモードを変更する処理手順を示すフローチャートである。
【図１７】第７の実施形態における原稿読取枚数が所定枚数以下で冷却ファンの状態から読み取りモードを決定する処理手順を示すフローチャートである。
【図１８】第８の実施形態における冷却ファン駆動部６７の構成を示す図である。
【図１９】読み取りモードとそれに必要なファンとの関係を示すテーブルである。
【図２０】読み取りモードパターン１において冷却ファンの状態から読み取りモードを決定する処理手順を示すフローチャートである。
【図２１】冷却ファンの状態に応じて読み取りモードを変更する処理手順を示すフローチャートである。
【図２２】図２１につづく冷却ファンの状態に応じて読み取りモードを変更する処理手順を示すフローチャートである。
【符号の説明】
【０１３７】
４  画像読取装置
１２  ランプ
１４  スキャナユニット
３８、３８ａ、３８ｂ  冷却ファン
５０  ＣＰＵ回路部
６７  ファン駆動部
６７ａ  モータ駆動部
６７ｂ  故障検知部
【図１】
2007295068.tif 000003
【図２】
2007295068.tif 000004
【図３】
2007295068.tif 000005
【図４】
2007295068.tif 000006
【図５】
2007295068.tif 000007
【図６】
2007295068.tif 000008
【図７】
2007295068.tif 000009
【図８】
2007295068.tif 000010
【図９】
2007295068.tif 000011
【図１０】
2007295068.tif 000012
【図１１】
2007295068.tif 000013
【図１２】
2007295068.tif 000014
【図１３】
2007295068.tif 000015
【図１４】
2007295068.tif 000016
【図１５】
2007295068.tif 000017
【図１６】
2007295068.tif 000018
【図１７】
2007295068.tif 000019
【図１８】
2007295068.tif 000020
【図１９】
2007295068.tif 000021
【図２０】
2007295068.tif 000022
【図２１】
2007295068.tif 000023
【図２２】
2007295068.tif 000024